(57)【特許請求の範囲】
【請求項１】
画像を読み取る画像読取部と、
前記画像読取部の下方に配置され、シートに画像を形成する画像形成部と、
前記画像読取部の上方に設けられたシート排出部と、
を有し、
前記シート排出部は起立する排出トレイを備え、前記画像読取部には上方に開閉可能な原稿押さえ部を備えることを特徴とする画像形成装置。
【請求項２】
前記原稿押さえ部は自動原稿送り装置を備えることを特徴とする請求項１記載の画像形成装置。
【請求項３】
前記原稿押さえ部は自動原稿送り装置を備え、上方に開閉可能な原稿圧着部と、装置本体に固定された原稿搬送部とに分割されることを特徴とする請求項１記載の画像形成装置。
【請求項４】
前記原稿押さえ部は原稿搬送時の原稿トレイを兼ねることを特徴とする請求項２又は請求項３に記載の画像形成装置。
【請求項５】
前記原稿搬送部の上方に前記シート排出部が位置し、前記原稿押さえ部の上方には前記シート排出部が位置しないことを特徴とする請求項３記載の画像形成装置。
【請求項６】
前記シート排出部は複数の排出トレイを横方向に配置したことを特徴とする請求項１乃至請求項５のいずれか１項に記載の画像形成装置。
【請求項７】
前記画像読取部と前記画像形成部の間の装置筐体内に設けられたシート排出空間部を有することを特徴とする請求項１乃至請求項６のいずれか１項に記載の画像形成装置。
【請求項８】
画像を読み取る画像読取部と、
前記画像読取部の下方に配置され、シートに画像を形成する画像形成部と、
前記画像読取部の上方に設けられたシート排出部と、
を有し、
前記シート排出部は複数の排出トレイを横方向に配置し、前記画像読取部には上方に開閉可能な原稿押さえ部を備えることを特徴とする画像形成装置。
【請求項９】
前記原稿押さえ部は自動原稿送り装置を備え、上方に開閉可能な原稿圧着部と、装置本体に固定された原稿搬送部とに分割されることを特徴とする請求項８記載の画像形成装置。
【発明の詳細な説明】
【０００１】
【発明の属する技術分野】
本発明は設置スペースを小さくでき、原稿セット操作性のよい画像形成装置に関する。
【０００２】
【従来の技術】
従来、複写機やファクシミリ装置といった原稿画像読取部を備えた画像形成装置は、装置上部に画像読取部を配置し、その下方に画像形成部を備え、画像形成部により画像形成された記録シートは装置側面より外側に排出積載する形態の装置が一般的である。
【０００３】
しかしながら近年では、省スペースを目的として、図12に示すように、画像読取部101と画像形成部102の間に空間103を設け、この空間103に記録シートを排出積載する装置がある。
【０００４】
画像読取部101ではその上部に配置された自動原稿送り装置（以下「ＡＤＦ」という）109より送られた原稿を露光走査することにより画像情報を光電変換素子に取り込み、データ処理を行う。
【０００５】
そして、そのデータに基づきレーザースキャナ104は感光体ドラム105上をスキャンし、潜像形成を行う。その潜像に従って感光体ドラム105上に現像されたトナー像は、給送カセット106より給搬送されたシート上に転写され、定着器107を通過してシート上に定着され、排出ローラ108により前記排出空間103に排出積載される。
【０００６】
【発明が解決しようとする課題】
上記画像形成装置において、画像記録されたシートに孔明け処理やステイプル処理等の後処理をする場合は、図13に示すように、装置本体側部にシート処理装置109を連結し、このシート処理装置109にシートを送り込んでステイプル処理等を行う。
【０００７】
しかしながら、装置側部にシート処理装置109を連結すると広い設置スペースが必要になる。このスペースを小さくしようとすると、装置の構造が複雑になったり、シートの取り出し操作性が悪くなったりする。
【０００８】
本発明は上記点に鑑みてなされたものであり、その目的は、排出シートの視認性や取り出し操作性を損なうことなく装置の省スペース化を実現可能な画像形成装置を提供するものである。
【０００９】
【課題を解決するための手段】
上記目的を達成するための本発明に係る代表的な構成は、画像を読み取る画像読取部と、前記画像読取部の下方に配置され、シートに画像を形成する画像形成部と、前記画像読取部の上方に設けられたシート排出部と、を有し、前記シート排出部は起立する排出トレイを備え、前記画像読取部には上方に開閉可能な原稿押さえ部を備えることを特徴とする。
【００１０】
【発明の実施の形態】
次に本発明の一実施形態に係る画像形成装置について、図面を参照して説明する。
【００１１】
〔第１実施形態〕
図１は第１実施形態に係る画像形成装置の全体断面説明図である。
【００１２】
｛画像形成装置の全体構成｝
この画像形成装置は画像読取手段である画像読取部１と、画像形成手段である画像形成部２とを有し、画像形成部２の上方に画像読取部１が配置されている。そして、両者の間の装置筐体内には画像形成部２で記録されたシートを排出するための排出空間部３が形成され、いわゆる機内排出型の画像形成装置になっている。また、画像形成部２の上方には画像形成されたシートに対して孔開けやステイプル等の処理を行うシート処理装置が設けられている。
【００１３】
（画像読取部）
本実施形態の画像読取部１は原稿を光学的に読み取る走査光学系４ａの上にＡＤＦ４ｂが装着されており、ＡＤＦ４ｂからプラテンガラス５上に送られた原稿、又はＡＤＦ４ｂを回動開放して直接プラテンガラス５上にセットされた原稿を走査光学系４ａによって露光走査することにより読み取るものである。すなわち、画像読取部１はプラテンガラス５上の原稿に対して光源６を走査しながら光照射し、その反射光をミラー７及びレンズ８を介して光電変換素子９に集光し、電気的なデジタル信号に変換して伝送する。このデジタル信号を自己の画像形成部２へ伝送すればコピー機として機能し、他機の画像形成部へ伝送すればファクシミリ装置として機能する。
【００１４】
なお、前記画像読取部１は必ずしもＡＤＦ４ｂを装着しなくてもよい。すなわち、走査光学系４ａのプラテンガラス５上にセットした原稿を押さえる原稿押さえ部材を設けたものであってもよい。
【００１５】
（画像形成部）
画像形成部２はその下方に配置されたシート給送部10に装填されたシートカセット11から、給送ローラ12、搬送ローラ13によって搬送されたシートに対して電子写真方式によってトナー像を形成するものである。すなわち、図１の矢印方向へ回転する感光体ドラム14の表面を帯電ローラ15によって一様に帯電し、この感光体ドラム14に前述した画像読取部１あるいはパソコン等から伝送された画像情報に基づいて光照射するレーザースキャナ16で選択的な露光をすることで潜像を形成する。この潜像を現像器17でトナー現像して可視像化し、そのトナー像を転写ローラ18へのバイアス印加によって搬送されたシートに転写する。
【００１６】
上記のようにしてトナー像が転写されたシートは、そのまま上方に位置する定着器19へ搬送され、ここで熱及び圧力が印加されてトナー定着された後に所定の排出部へ排出される。
【００１７】
すなわち、定着器19を通過したシートは、第１の切換フラッパ20が支点20ａを中心に回動することにより矢印ａまたは矢印ｂ方向に選択されて搬送される（図１は矢印ｂ方向が選択された状態を示す）。
【００１８】
なお、搬送方向ａ，ｂの選択は、あらかじめ操作者により排出部が選択されることにより決定されるものであり、排出部の選択は各ジョブ毎に装置の操作部またはパソコン等から行っても良いが、ジョブの種類や内容によりあらかじめ設定しておいても良い。
【００１９】
例えば、使用頻度の少ないファクシミリ出力の場合は常に排出ローラ21から排出空間部３に排出することとし、搬送方向を矢印ａ方向に設定する。一方、仕分けが必要となるコピーやプリンタのジョブの場合は画像読取部１の上方に位置する排出部22に複数設けられた排出トレイ23を選択して矢印ｂ方向に設定しておく。
【００２０】
また、コピージョブでも仕分けが不要な１部コピーの場合は出力時間を短縮するために排出空間部３を排出先として設定しておくことも可能である。
【００２１】
｛シート処理装置｝
次に図２乃至図６を参照して本実施形態における孔開け処理やステイプル処理を行うためのシート処理装置の構成について説明する。本実施形態のシート処理装置は、画像形成されたシートを略垂直な積載面をもつ中間処理トレイ31に搬入し、ここで整合してシート束にし、ステイプル処理した後に上方の排出部へと排出するものである。なお、図２はシート後処理を行わない場合のシート後処理部の断面説明図であり、図３は中間処理を行う場合のシート後処理部の断面説明図である。
【００２２】
（搬送手段）
第１の切換フラッパ20により図１の矢印ｂ方向に搬送されたシートは、次に後処理の有無により第２の切換フラッパ24で搬送方向を切り換えられる。
【００２３】
すなわち、綴じや孔開けといったシート処理を必要としないジョブの場合には、第２の切換フラッパ24は支点25を中心に図２で示す位置に回動する。このとき、束排出ローラ26ａは支点27として揺動する揺動ガイド28に支持されており、図２に示す位置に回動する。
【００２４】
シートは搬送手段としての第１の搬送ローラ対29及び第２の搬送ローラ対30により略垂直上方に位置する束排出ローラ対26ａ，26ｂに搬送され、画像形成部２の略垂直上方に位置する排出トレイ23上に排出積載される。
【００２５】
次に、シート処理を必要とするジョブの場合には、第２の切換フラッパ24は支点25を中心に図３の実線で示す位置に回動し、シートＰは中間処理トレイ31方向に搬入される。このとき、束排出ローラ26ａを支持する揺動ガイド28は支点27を中心に回動して束排出ローラ26ｂと離間し、中間処理トレイ31へのシート搬入中及び後処理中は図３に示す位置に退避している。
【００２６】
このように束排出ローラ26ａが退避していることにより、中間処理トレイ31での整合、後処理時にシート先端が束排出ローラ26ｂを越えるようなラージサイズのシートでも中間処理トレイ31での後処理動作が可能となる。
【００２７】
その後、シートＰの後端が第１搬送ローラ対29を抜けたとき、第２切換フラッパ24を図３二点鎖線の位置に切り換えることにより、シートＰの後端が中間処理トレイ31方向に導かれる。このとき、第１搬送ローラ対29はシートＰの後端を蹴り出すための十分な回転速度に設定されている。
【００２８】
（シート後処理部）
中間処理トレイ31に搬入されたシートＰは、図３に示すように、略垂直状態に保持されて整合され、下端部に矢印ｅ、ｆ方向へ移動可能に設けられたステイプルユニット60によりステイプル処理（シート綴じ処理）が行われる。そのために、中間処理トレイ31には、図４に示すように、シートが積載されるごとに、装置手前／奥方向にシート幅を整合する整合手段が設けられている。なお、図４はシート幅方向（シート搬送方向と直交する方向）を上下方向で示した整合手段の説明図である。
【００２９】
整合手段は、図４に示すように、シート幅方向の手前側（図１における手前側）及び奥側（図１における奥側）を整合するための、前整合板32ａと後整合板32ｂが配置されている。この前整合板32ａと後整合板32ｂは、各々  幅整合ラック33ａ，33ｂと一体に図４の上下方向に往復移動可能に設けられており、前整合板32ａと後整合板32ｂ各々に一体に設けられた束出しラック34ａ，34ｂと幅整合ラック33ａ，33ｂに設けられた束出しモータ35ａ，35ｂにより、図４の左右方向に往復移動するように構成されている。
【００３０】
幅整合ラック33ａ，33ｂは中間処理トレイ31のシート幅方向に往復移動可能に取り付けられており、幅整合モータ36ａ，36ｂによりシート幅方向に往復移動するように構成されている。
【００３１】
前後の整合板32ａ，32ｂの下端（図４では右端）には後処理時の基準となる突当基準壁37が設けられている。もっとも、前記突当基準壁37はその一部を中間処理トレイ31に固定して設けるようにしてもよい。
【００３２】
なお、前記中間処理トレイ31に搬入され、整合手段によってシート幅方向を整合されたシート束に対し、ステイプル処理するステイプルユニット60が設けられているが、このステイプルユニット60は針打ち時には図示しない駆動手段により図４矢印ｆおよびｅ方向に移動し、動作する構成となっており、シート束の搬送経路を遮ることのないように移動可能に設けられている。
【００３３】
中間処理トレイ31に搬入されたシートＰは、図３に示すように、自重によって中間処理トレイの下端に位置する突当基準壁37に突き当て積載される。なお、本実施形態にあっては突当基準壁37はそれぞれ前後の整合板32ａ，32ｂの下端に設けられているため、中間処理トレイ31にシートが搬入される場合、前後の整合板32ａ，32ｂの間隔は、搬入されるシート幅よりも広く、且つ自重によって中間処理トレイ31に落下したシートの下端を前後の突当基準壁37で支持し得る待機位置で待機しているように設定されている。
【００３４】
また、突当基準壁37の端部は、図３に示すように、突き当たったシートＰがズレて落ちないように起立形成されており、断面コ字状になるように形成されている。
【００３５】
シート下端が中間処理トレイ31を落下して突当基準壁37に突き当たると、幅整合モータ36ａ，36ｂが駆動し、これが幅整合ラック33ａ，33ｂに伝達されて前整合板32ａと後整合板32ｂがシート幅方向に移動してシート幅方向の整合を行う。そして、整合が終了すると前整合板32ａと後整合板32ｂは前記待機位置に戻る。このようにして順次排出されるシートは前記のようにして１枚ずつ整合され、中間処理トレイ31に所定の枚数積載されて束状になる。
【００３６】
整合されたシート束は、例えばステイプル処理が操作部で指示された場合、ステイプユニット60によってステイプル針が打ち込まれて、ステイプルされる。このステイプル等の後処理が終了すると、図５及び図６に示すように、前整合板32ａと後整合板32ｂは、束出しラック34ａ，34ｂと束出しモータ35ａ，35ｂの駆動により上方に押し上げられ、後処理後のシート束Ｐ′は整合板32ａ，32ｂと一体に形成された基準壁37により、少なくともその先端が束排出ローラ対26ａ，26ｂに到達するまで搬送される。
【００３７】
そして、前記シート束Ｐ′の先端が束排出ローラ26ｂを越えたところで、揺動ガイド28は図５の二点鎖線に示す位置に加圧され、束排出ローラ対26ａ，26ｂによりシート束Ｐ′を排出トレイ23に排出する。
【００３８】
その後、前整合板32ａと後整合板32ｂは束出しモータ35ａ，35ｂが逆転することにより下方に移動し、不図示の位置センサによって所定位置まで下降したことが検出されると束出しモータ35ａ，35ｂが駆動停止し、次のジョブの後処理に備える。
【００３９】
なお、本実施形態ではシート後処理としてステイプルユニットによりステイプル処理する例を示しているが、シート後処理としてはステイプル処理に限定されない。例えば、パンチユニットを設けることによりパンチ処理（シート孔開け処理）を行うようにすることも当然可能である。
【００４０】
（シート排出部）
【００４１】
また、本実施形態における画像読取部１の上方に設けられた排出トレイ23は、図１に示すように、斜めに起立した状態で横方向（シート排出方向と交差する方向であり、本実施形態にあっては水平方向）に複数配列され、駆動源61により矢印ｃ方向に回転する螺旋溝付きのリードカム38と、排出トレイ23の後側を支持する後側板39に設けられたガイドレール39ａにより左右方向に移動する構成となっている。
【００４２】
すなわち、それぞれの排出トレイ23の前後両端の下端部にはリードカム38の溝と係合するコロ40が設けられ、リードカム38の回転により排出トレイ23が横方向に移動可能となっている。そして、不図示の位置検出センサによりトレイ位置を検出して所定位置で停止させることで、束排出ローラ対26ａ，26ｂによって排出されるシート、あるいはシート束が所定の排出トレイ23に排出される。
【００４３】
上記排出はソートモードの場合にはシート排出に伴って各排出トレイ23が順次移動することで複数の排出トレイ23にシートがソートされた状態で排出される。一方、ノンソートモードの場合は図１に示す最も右側の排出トレイ23が排出されるシートを受ける位置に移動し、該トレイにシートが排出される。
【００４４】
前記のように複数の排出トレイが横方向に配置されているために、排出シートを容易に取り出し可能である。また、前記排出されたシートは、排出トレイ23に支持されるために斜めに起立した状態となり、シートサイズが大きくても横方向の排出スペースを必要としない。
【００４５】
｛画像読取部の開閉｝
本実施形態においては前述したように画像読取部１の上方に排出トレイ23を配置しているため、原稿読取部全体を上方に開放しようと排出トレイ23に突き当たってしまうおそれがある。そのために、画像読取部の開閉構成を以下のように構成している。
【００４６】
（原稿押さえ部の開閉）
本実施形態に係る走査光学系４ａの上に配置される原稿押さえ部としても機能するＡＤＦ４ｂは、シートスルータイプで原稿を読み取ることも可能となっている。すなわち、図１において、原稿トレイ部62上にセットされたシート原稿を、ピックアップローラ63ａ、搬送ローラ63ｂ、原稿押圧ローラ63ｃ等のローラおよび原稿ガイドで構成された原稿搬送部63で１枚ずつＵターン搬送して排出トレイ部64へ排出する。このＵターン搬送に先だって走査光学系４ａの光源６および走査ミラー７を原稿押圧ローラ63ｃの対向位置に移動させておき、搬送される原稿に光照射して読み取るものである。
【００４７】
上記構成において、原稿搬送部63は装置本体に固定されており、その上部には上部排出部22が位置している。一方、原稿トレイ部62及び排出トレイ部64は前記原稿搬送部63と分割されており、その上部にシート排出部22は位置していない。そして、原稿トレイ部62と排出トレイ部64は、図７に示すように、回転ヒンジ部42を中心にして一体的に回動し、走査光学系４ａに対して上方へ開放可能となっている。
【００４８】
このため、ブック原稿等を読み取る場合には走査光学系４ａを固定したまま原稿トレイ部62および排出トレイ部64を開放し、プラテンガラス５上にセットして読み取ることができる。このとき、原稿トレイ部62および排出トレイ部64は原稿圧着部として作用する。
【００４９】
そして、開閉する原稿押さえ部はトレイ（原稿トレイ部62、排出トレイ部64）のみで形成されるために軽量であり、ヒンジ等の構成が簡略化でき、操作性も優れるという利点をもつ。
【００５０】
（走査光学系の開閉）
また、本実施形態では、図８に示すように、走査光学系４ａを排出空間部３に移動（図１の矢印ｄ方向へ移動）し得るように構成することも可能である。なお、図８は本実施形態における画像形成装置本体を左側面から見た側面説明図である。
【００５１】
図８に示すように、ＡＤＦ４ｂを装置筐体41に固定し、走査光学系４ａを備える画像読取部１は回転ヒンジ部42を支点にＡＤＦ４ｂに対して走査光学系４ａの部分が回動可能に構成されており、通常状態では引張バネ43により図８(a)に示す位置に引き上げられ固定されている。
【００５２】
操作者が画像読取部１のプラテンガラス５上に原稿を載せて画像読み取りを行う場合、走査光学系４ａの装置手前側に設けられた把手44を下方に押し下げると、図８(b)に示すように、回転ヒンジ部42を中心にして走査光学系４ａの部分が排出空間部３の領域に回転移動し、プラテンガラス５が露出する。この状態で原稿をプラテンガラス５の装置手前側に形成された突当基準５ａに合わせてセットする。
【００５３】
そして、把手44を持って走査光学系４ａを戻すと、走査光学系４ａが引張バネ43の引張力により、図８(a)に示すように、ＡＤＦ４ｂに加圧された状態となり、この状態で走査読み取りが行われる。
【００５４】
なお、前記引張バネ43は装置本体に固定された原稿搬送部63と走査光学系４ａ間に係止されており、前述したように原稿トレイ部62および排出トレイ部64を上方へ開放する際には引張バネ43による引張力は作用しない。
【００５５】
また、前記回転ヒンジ部42は装置筐体41に形成された縦長孔45の範囲で移動可能となっており、圧縮バネ46によって縦長孔45の上縁側に付勢されている。このため、図９に示すように、プラテンガラス５上に厚手のブック原稿Ｇをセットすると、画像読取部１の回転ヒンジ部42に設けられた圧縮バネ46が縮むことにより厚手の原稿が平行に押し当てられる。
【００５６】
上記のように、画像読取部１を排出空間部３の領域に移動可能とすることにより、画像読取部１の上部配置した排出トレイ23を移動させることなく、原稿セットが可能となる。このため、排出トレイ23に排出されたシートの視認性や取り出し操作性を損なうことなく、装置の省スペース化が可能となる。
【００５７】
そして、プラテンガラス５全体にわたる原稿をセットする場合は、図８に示すように、ＡＤＦ４ｂを固定して走査光学系４ａを排出空間部３側へ開放して原稿をセットし、また原稿搬送部63にかからない程度の大きさの原稿をセットする場合は、図７に示すように、走査光学系４ａを固定して原稿押さえ部である原稿トレイ部62および原稿搬送部63を上方へ開放して原稿をセットすることができる。
【００５８】
〔第２実施形態〕
前述した第１実施形態ではシート後処理部の上方に配置された排出部22に複数の排出トレイ23を設けた例を示したが、図10に示すように、排出部22には１つの排出トレイ23を設ける構成にしてもよい。なお、図10は第２実施形態に係る画像形成装置の模式説明図であり、第１実施形態と同一機能を有する部材には同一符号を付している。
【００５９】
本実施形態にあっては、排出部22に排出されるシート量に応じて排出トレイ23を移動させ、排出されるシートを起立した状態で保持するものである。
【００６０】
〔第３実施形態〕
図11は第３実施形態に係る画像形成装置の模式説明図であり、シート処理装置を排出空間部３に配置した例を示している。なお、他の構成は前述した第１実施形態と同様である（第１実施形態と同一機能を有する部材には同一符号を付している）。
【００６１】
この実施形態では定着器19から本体排出ローラ21を通過したシートは、シート後処理部56においてステイプルによる綴じ等の後処理を行った後、排出ローラ57によって画像読取部１の上方に配置された排出トレイ23に排出積載される。
【００６２】
なお、シート後処理部56は前述した第１実施形態と同様に、排出ローラ21で順次シート後処理部56へ搬送されるシートを整合手段によって幅方向の整合してシート束にし、これをステイプルユニットによってステイプル処理した後、そのシート束を図示しないグリッパ等で掴んで搬送し、更に排出ローラ57によって上方へ搬送して排出トレイ23に排出する。
【００６３】
また、画像読取部１は装置本体に対して手前に引き出し可能な構成となっており、画像読取部１にてＡＤＦ４ｂを開放して読み取りを行う場合には、画像読取部１を手前に引いて操作を行う。
【００６４】
本実施形態では、シート後処理部56を排出空間部３に略水平に配置し、シートを略水平にして処理できるため、大容量のステイプルや、２箇所綴じ、孔開け等の種々のシート処理装置が設置可能となる。
【００６５】
【発明の効果】
以上説明したように、本発明にあっては画像読取部の上方に起立した排出トレイを備えたシート排出部を設けたために、シートサイズが大きくても横方向の排出スペースを大きく必要としなくなる。また、画像読取部には上方に開閉可能な原稿押さえ部を設けたため、軽量な原稿押さえ部を容易に開閉することができる。
【図面の簡単な説明】
【図１】第１実施形態に係る画像形成装置の全体断面説明図である。
【図２】シート後処理を行わない場合のシート後処理部の断面説明図である。
【図３】シート後処理を行う場合のシート後処理部の断面説明図である。
【図４】整合手段の説明図である。
【図５】中間処理トレイを上方へ移動させる状態説明図である。
【図６】中間処理トレイを上方へ移動させる状態説明図である。
【図７】ＡＤＦの原稿押さえ部を開放した状態を示す断面図および左側面図である。
【図８】第１実施形態における画像形成装置本体を左側面から見た側面説明図である。
【図９】厚手原稿を読み取る場合の状態説明図である。
【図１０】第２実施形態に係る排出トレイを１つにした画像形成装置の全体断面説明図である。
【図１１】第３実施形態に係る画像読取部の他の移動形態の構成説明図である。
【図１２】従来技術に係る画像形成装置の説明図である。
【図１３】装置本体側部にシート処理装置を連結した説明図である。
【符号の説明】
Ｇ    …ブック原稿
Ｐ    …シート
Ｐ′  …シート束
１    …画像読取部
２    …画像形成部
３    …排出空間部
４ａ  …走査光学系
４ｂ  …ＡＤＦ
４ｃ  …原稿搬送部
４ｂ  …圧板部
５    …プラテンガラス
５ａ  …突当基準
６    …光源
７    …ミラー
８    …レンズ
９    …光電変換素子
10    …シート給送部
11    …シートカセット
12    …給送ローラ
13    …搬送ローラ
14    …感光体ドラム
15    …帯電ローラ
16    …レーザースキャナ
17    …現像器
18    …転写ローラ
19    …定着器
20    …切換フラッパ
20ａ  …支点
21    …排出ローラ
22    …排出部
23    …排出トレイ
24    …切換フラッパ
25    …支点
26ａ，26ｂ …束排出ローラ
27    …支点
28    …揺動ガイド
29，30 …搬送ローラ対
31    …中間処理トレイ
32ａ  …前整合板
32ｂ  …後整合板
33ａ，33ｂ …幅整合ラック
34ａ，34ｂ …束出しラック
35ａ，35ｂ …束出しモータ
36ａ，36ｂ …幅整合モータ
37    …突当基準壁
38    …リードカム
39    …後側板
39ａ  …ガイドレール
40    …コロ
41    …装置筐体
42    …回転ヒンジ部
43    …引張バネ
44    …把手
45    …縦長孔
46    …圧縮バネ
47    …支点
48    …ロック部材
48ａ  …フック部
49    …係止部
50    …係止部
51    …駆動モータ
52    …フレーム
53    …ガイドコロ
54    …ホームセンサ
55    …ガイドレール
56    …シート後処理部
57    …排出ローラ
58    …搬送ローラ
60    …ステイプルユニット
61    …トレイ駆動部
62    …原稿トレイ部
63    …原稿搬送部
63ａ  …ピックアップローラ
63ｂ  …搬送ローラ
63ｃ  …原稿押圧ローラ
64    …排出トレイ部
【図１】
0003679741.tif 000002
【図２】
0003679741.tif 000003
【図３】
0003679741.tif 000004
【図４】
0003679741.tif 000005
【図５】
0003679741.tif 000006
【図６】
0003679741.tif 000007
【図７】
0003679741.tif 000008
【図８】
0003679741.tif 000009
【図９】
0003679741.tif 000010
【図１０】
0003679741.tif 000011
【図１１】
0003679741.tif 000012
【図１２】
0003679741.tif 000013
【図１３】
0003679741.tif 000014